(57)【要約】      （修正有）【課題】簡単な作業でまた芯線を露出させること無く極性変更（ロールオーバー）を行うことができ、ＡＰＣにも対応し、Ｐｕｓｈ／Ｐｕｌｌにも対応することで高密度実装が可能なＬＣ用ユニブーツプラグコネクタを提供する。【解決手段】ラッチ一体レバー４０に対してタブＴを通じてスライダ３０を後方に引っ張り、スライダ３０に設けたカム傾斜面部に沿ってピン形状部４６が下方に押されて中間アーム部４２先端を下方に湾曲変形させ、アダプタ内の係止溝に対するラッチ４３の係止部４４による引っ掛かりを解除させて引き抜き可能にしてなるスライダレバー連結体２０をホルダに対し脱着自在に設ける。【選択図】図１
2020046582.tif 000002
【特許請求の範囲】
【請求項１】
一対の光コネクタの各プリアッセを保持して一体となし、前記各プリアッセから後方に延びた一対の光ファイバケーブルの芯線それぞれを収容するホルダと、前記ホルダから後方に延びた一対の光ファイバケーブルそれぞれを同時に保護するブーツと、前記ホルダに対し脱着自在に設けられたスライダレバー連結体とを備え、
前記スライダレバー連結体は、コネクタ引き抜き用のタブを後端に装着してなるスライダと、
前記スライダを上側から挟み込むようにして前記ホルダに固定されるラッチ一体レバーとを備え、
前記ラッチ一体レバーは、前記ホルダに対し左右両側から挟持固定させるための左右一対の係止挟持片を備え且つ前記スライダを前後方向に所定距離だけスライド自在とするよう前記スライダの中央幅狭部分が係合する溝形状部を有する保持ベース部と、
前記保持ベース部から前方に向けて二股状に延設された中間アーム部と、
前記中間アーム部を介して側面視略への字型を呈するよう連設されて弾発性を付与して形成され且つ各中間部両側にアダプタの係止溝に係合される係止部を突設してなるラッチと、
前記中間アーム部の先端側に形成されたピン形状部と、
前記ラッチの先端に形成された係合突部とを備え、
前記スライダはその前端において内側にカム傾斜面部を備えた一対のラッチ挿入開口部を備え、
前記ラッチはその先端側からラッチ挿入開口部に挿入されて、前記プリアッセの係合凹部に前記ラッチ先端の係合突部が係合されるとともに、前記中間アーム部のピン形状部が前記カム傾斜面部に各当接保持されてなることを特徴とするＬＣ用ユニブーツプラグコネクタ。
【請求項２】
前記スライダレバー連結体は、前記ラッチ一体レバーに対して前記タブを通じてスライダを後方に引っ張り、前記スライダに設けたカム傾斜面部に沿って前記ピン形状部が下方に押されて前記中間アーム部先端を下方に湾曲変形させ、アダプタに形成された係止溝に対するラッチの係止部による引っ掛かりを解除させて引き抜き可能にしてなることを特徴とする請求項１記載のＬＣ用ユニブーツプラグコネクタ。
【請求項３】
前記スライダレバー連結体は、前記スライダの下面側に設けたガイド用キー突起が前記ホルダの上面側に設けたガイド用キー溝の前側端に当接したときを基準位置とし、前記基準位置からタブを通じてスライダを後方に引っ張るとスライダに設けた前記カム傾斜面部にラッチ一体レバーの前記ピン形状部が当たり、カム傾斜面部に沿ってピン形状部が下方に押されるように前記中間アーム部が下方へ変形することを特徴とする請求項１記載のＬＣ用ユニブーツプラグコネクタ。
【請求項４】
前記スライダレバー連結体は、前記スライダが前記基準位置から後方へスライドしたときに、前記スライダの下面側に設けた突起型溝形状部が前記ホルダの上面側に設けた溝形状部に係合するよう形成されてなることを特徴とする請求項３記載のＬＣ用ユニブーツプラグコネクタ。
【請求項５】
前記ホルダは、カシメホルダとカシメリングを備えた熱収縮チューブを介して前記ブーツが取り付けられ、前記カシメホルダを軸として前記ホルダは回転自在となすとともに、前記各プリアッセは自体の軸筒部で前記ホルダに保持されてそれぞれ回転自在としたことを特徴とする請求項１〜４記載のＬＣ用ユニブーツプラグコネクタ。
【請求項６】
前記各プリアッセはそれぞれの軸筒部の端部において前記ホルダに対し回動可能に係止される円形フランジ部を有し、前記円形フランジ部の周面には係止突起を備え、前記各プリアッセが角度０°の正位置と角度１８０°の反転位置で前記係止突起が係止されるよう前記ホルダにストッパ面を対設したことを特徴とする請求項５記載のＬＣ用ユニブーツプラグコネクタ。
【発明の詳細な説明】
【技術分野】
【０００１】
本発明は、一対のＬＣ型光コネクタを有する双方向通信用の主としてユニブーツタイプの２芯型のＬＣ用ユニブーツプラグコネクタに関する。
【背景技術】
【０００２】
従来、インターネット等の普及に伴い、光コネクタの一種として、入力用の光コネクタと出力用の光コネクタとを有する双方向通信用の２芯型光コネクタユニットの需要が急増している。この場合の２芯型光プラグコネクタは、その極性反転のために一対の光コネクタの場所を入れ替える必要性が生じる。
【０００３】
そこで、近年においては、一対の光コネクタの位置を入れ替え可能にするために、上記２芯型光プラグコネクタとしては、一対の光ファイバケーブル（図示省略）の先端に取り付けられた一対の光コネクタの各フェルールハウジングを保持するコネクタハウジングと、該コネクタハウジングから後方に延びた一対の光ファイバケーブルそれぞれを同時に保護する単一のブーツ（ユニブーツ構造）とを備える。
【０００４】
具体的には、特許文献１に示すように、一対の光コネクタの各フェルールハウジングを保持して一体となし、当該各フェルールハウジングから後方に延びた一対の光ファイバケーブルの芯線それぞれを収容する保持体と、該保持体から後方に延びた一対の光ファイバケーブルそれぞれを同時に保護するブーツと、前記保持体に対し脱着自在に設けられたレバー連結体とを備え、前記レバー連結体は、一対のラッチレバーが前記各フェルールハウジングに対応すべく、前記レバー連結体後端に取り付けられた操作レバーの先端側に連設して弾発性を付与して形成されている２芯型光プラグコネクタが公知である。
【０００５】
上記２芯型光プラグコネクタの使用に際し、一対の光コネクタを光アダプタの各挿入開口部に挿入する。このとき、ラッチレバーの各中間部両側に突設された係止部が各挿入開口部の上縁に当たっていったんは押下げられた後に、前記操作レバーと前記各ラッチレバーとの間の弾発性によって当該係止部は、光アダプタに設けられた係止溝と係合する。これによって前記光コネクタは光アダプタから抜脱を阻止される。
【０００６】
光アダプタの各挿入開口部から一対の光コネクタを引き抜く際には、前記操作レバーと前記各ラッチレバーとの間の弾発性に抗して当該操作レバーを手で下方に押圧する。すると、前記各ラッチレバーは中間部両側に突設された係止部と共に同時に押下げられ、当該係止部は、光アダプタに設けられた係止溝に対する係合が解除される。これにより前記ラッチレバーの係合突部後端のテーパ面および前記レバー連結体の弾力性の機能によって一対の光コネクタは光アダプタの各挿入開口部からスムーズに取り外される。
【先行技術文献】
【特許文献】
【０００７】
【特許文献１】特開２０１６−４０５８７号公報
【発明の概要】
【発明が解決しようとする課題】
【０００８】
しかしながら、上記した特許文献１に示す２芯型光プラグコネクタにおいては、プラグを引き抜く際には、保持体の上面側に取り付けられている操作レバーを手で下方に押圧しつつ引き抜くため、主として高密度実装による光コネクタシステムでは、接続中の他のプラグを誤って抜いてしまう虞がある。この誤脱は、特に光伝送路が高密度に装備されたＬＡＮ関係等で使用される光コネクタにおいて生じる。
【０００９】
また、上記した特許文献１に示す２芯型光プラグコネクタにおいては、保持体からレバー連結体を取り外すことでフェルールの左右の位置が変えられても、各フェルール自体の上下反転はできないため、フェルール先端が斜め凸球面状に研磨したＡＰＣ研磨（Ａｎｇｌｅｄ  ＰＣ）による構成では対応できない。
【００１０】
因みに、映像伝送等で多く使用されるＡＰＣ研磨（Ａｎｇｌｅｄ  ＰＣ）によるフェルールは、当該フェルール先端を斜め凸球面状に研磨することで反射光を光源側に戻さないようにした構成であって、ＰＣ研磨（Ｐｈｙｓｉｃａｌ  Ｃｏｎｔａｃｔ）やＳＰＣ研磨（Ｓｕｐｅｒ  ＰＣ）によるフェルールとの接続互換性はない。しかも、ＡＰＣ研磨（Ａｎｇｌｅｄ  ＰＣ）による方法は、ファイバ同士の接触部分における反射光減衰量を５５ｄＢ以上に容易に実現できるが、一方のフェルールの軸周りの回転を小さく抑制する必要がある。
【００１１】
そこで、本発明は、叙上のような従来存した諸事情に鑑み案出されたもので、光アダプタの各挿入開口部から一対の光コネクタを引き抜く際に、接続中の他の一対の光コネクタを誤って抜いてしまうのを防止でき、これにより利便性に優れた諸々のプラグセキュリティシステムを構築可能にすると共に、簡単な作業で芯線を露出させること無く一対の光コネクタの極性変更（ロールオーバー）を行うことができ、且つＡＰＣ研磨（Ａｎｇｌｅｄ  ＰＣ）によるフェルールにも対応し、またＰｕｓｈ／Ｐｕｌｌにも対応することで高密度実装が必要だというニーズにもこたえることができるＬＣ用ユニブーツプラグコネクタを提供することを目的とする。
【課題を解決するための手段】
【００１２】
上述した課題を解決するために、本発明にあっては、一対の光コネクタの各プリアッセを保持して一体となし、前記各プリアッセから後方に延びた一対の光ファイバケーブルの芯線それぞれを収容するホルダと、前記ホルダから後方に延びた一対の光ファイバケーブルそれぞれを同時に保護するブーツと、前記ホルダに対し脱着自在に設けられたスライダレバー連結体とを備え、
前記スライダレバー連結体は、コネクタ引き抜き用のタブを後端に装着してなるスライダと、
前記スライダを上側から挟み込むようにして前記ホルダに固定されるラッチ一体レバーとを備え、
前記ラッチ一体レバーは、前記ホルダに対し左右両側から挟持固定させるための左右一対の係止挟持片を備え且つ前記スライダを前後方向に所定距離だけスライド自在とするよう前記スライダの中央幅狭部分が係合する溝形状部を有する保持ベース部と、
前記保持ベース部から前方に向けて二股状に延設された中間アーム部と、
前記中間アーム部を介して側面視略への字型を呈するよう連設されて弾発性を付与して形成され且つ各中間部両側にアダプタの係止溝に係合される係止部を突設してなるラッチと、
前記中間アーム部の先端側に形成されたピン形状部と、
前記ラッチの先端に形成された係合突部とを備え、
前記スライダはその前端において内側にカム傾斜面部を備えた一対のラッチ挿入開口部を備え、
前記ラッチはその先端側からラッチ挿入開口部に挿入されて、前記プリアッセの係合凹部に前記ラッチ先端の係合突部が係合されるとともに、前記中間アーム部のピン形状部が前記カム傾斜面部に各当接保持されてなることを特徴とする。
【００１３】
前記スライダレバー連結体は、前記ラッチ一体レバーに対して前記タブを通じてスライダを後方に引っ張り、前記スライダに設けたカム傾斜面部に沿って前記ピン形状部が下方に押されて前記中間アーム部先端を下方に湾曲変形させ、アダプタに形成された係止溝に対するラッチの係止部による引っ掛かりを解除させて引き抜き可能にしてなることを特徴とする。
【００１４】
前記スライダレバー連結体は、前記スライダの下面側に設けたガイド用キー突起が前記ホルダの上面側に設けたガイド用キー溝の前側端に当接したときを基準位置とし、前記基準位置からタブを通じてスライダを後方に引っ張るとスライダに設けた前記カム傾斜面部にラッチ一体レバーの前記ピン形状部が当たり、カム傾斜面部に沿ってピン形状部が下方に押されるように前記中間アーム部が下方へ変形することを特徴とする。
【００１５】
前記スライダレバー連結体は、前記スライダが前記基準位置から後方へスライドしたときに、前記スライダの下面側に設けた突起型溝形状部が前記ホルダの上面側に設けた溝形状部に係合するよう形成されてなることを特徴とする。
【００１６】
前記ホルダは、カシメホルダとカシメリングアッセイを介して前記ブーツが取り付けられ、前記カシメホルダを軸として前記ホルダは回転自在となすとともに、更に前記各プリアッセは自体の軸筒部で前記ホルダに保持されてそれぞれ回転自在としたことを特徴とする。
【００１７】
前記各プリアッセはそれぞれの軸筒部の端部において前記ホルダに対し回動可能に係止される円形フランジ部を有し、前記円形フランジ部の周面には係止突起を備え、前記各プリアッセが角度０°の正位置と角度１８０°の反転位置で前記係止突起が係止されるよう前記ホルダにストッパ面を備えたことを特徴とする。
【発明の効果】
【００１８】
本発明によれば、光アダプタの各挿入開口部から一対の光コネクタを引き抜く際に、接続中の他の一対の光コネクタを誤って抜いてしまうのを防止でき、諸々のプラグセキュリティシステムを構築可能にする。また、簡単な作業で且つ芯線を露出させること無く一対の光コネクタの極性変更（ロールオーバー）を行うことができ、しかもＡＰＣ研磨（Ａｎｇｌｅｄ  ＰＣ）によるフェルールにも対応し、さらにＰｕｓｈ／Ｐｕｌｌにも対応することで高密度実装が必要だというニーズにもこたえることができる。
【００１９】
すなわち、本発明では、一対の光コネクタの各プリアッセを保持して一体となし、前記各プリアッセから後方に延びた一対の光ファイバケーブルの芯線それぞれを収容するホルダと、前記ホルダから後方に延びた一対の光ファイバケーブルそれぞれを同時に保護するブーツと、前記ホルダに対し脱着自在に設けられたスライダレバー連結体とを備え、
前記スライダレバー連結体は、コネクタ引き抜き用のタブを後端に装着してなるスライダと、
前記スライダを上側から挟み込むようにして前記ホルダに固定されるラッチ一体レバーとを備え、
前記ラッチ一体レバーは、前記ホルダに対し左右両側から挟持固定させるための左右一対の係止挟持片を備え且つ前記スライダを前後方向に所定距離だけスライド自在とするよう前記スライダの中央幅狭部分が係合する溝形状部を有する保持ベース部と、
前記保持ベース部から前方に向けて二股状に延設された中間アーム部と、
前記中間アーム部を介して側面視略への字型を呈するよう連設されて弾発性を付与して形成され且つ各中間部両側にアダプタの係止溝に係合される係止部を突設してなるラッチと、
前記中間アーム部の先端側に形成されたピン形状部と、
前記ラッチの先端に形成された係合突部とを備え、
前記スライダはその前端において内側にカム傾斜面部を備えた一対のラッチ挿入開口部を備え、
前記ラッチはその先端側からラッチ挿入開口部に挿入されて、前記プリアッセの係合凹部に前記ラッチ先端の係合突部が係合されるとともに、前記中間アーム部のピン形状部が前記カム傾斜面部に各当接保持されてなるので、
一対のＬＣ型光コネクタを有する双方向通信用の主としてユニブーツタイプの２芯型のＬＣ用ユニブーツプラグコネクタにおいて、光アダプタの各挿入開口部から一対の光コネクタを引き抜く際に、スライダレバー連結体は、ラッチ一体レバーに対してタブを通じてスライダを後方に引っ張ることで容易に引き抜くことができ、接続中の他の一対の光コネクタを誤って抜いてしまうのを防止できる。
【００２０】
前記スライダレバー連結体は、前記ラッチ一体レバーに対して前記タブを通じてスライダを後方に引っ張り、前記スライダに設けたカム傾斜面部に沿って前記ピン形状部が下方に押されて前記中間アーム部先端を下方に湾曲変形させ、アダプタに形成された係止溝に対するラッチの係止部による引っ掛かりを解除させて引き抜き可能にしてなるので、アダプタの係止溝に対するラッチの係止部の係脱を、接続中の他のＬＣ型光コネクタに干渉することなく、タブの操作でスムーズに行わせることができる。しかも、ラッチは、中間アーム部の変形を介して下方に移動し、アダプタの係止溝に対するラッチの係止部を外すので、ラッチ自体に過度な負担（加重）を掛けることがない。
【００２１】
前記スライダレバー連結体は、前記スライダの下面側に設けたガイド用キー突起が前記ホルダの上面側に設けたガイド用キー溝の前側端に当接したときを基準位置とし、前記基準位置からタブを通じてスライダを後方に引っ張るとスライダに設けた前記カム傾斜面部にラッチ一体レバーの前記ピン形状部が当たり、カム傾斜面部に沿ってピン形状部が下方に押されるように前記中間アーム部が下方へ変形するので、中間アーム部に過度な加重を掛けることなく、アダプタの係止溝に対するラッチの係止部の係脱が確実に行える。
【００２２】
前記スライダレバー連結体は、前記スライダが前記基準位置から後方へスライドしたときに、前記スライダの下面側に設けた突起型溝形状部が前記ホルダの上面側に設けた溝形状部に係合するよう形成されてなるので、カム傾斜面部がピン形状部を下方へ押す力が作用している時、反力としてピン形状部からカム傾斜面部を介してスライダを上方に押す力が生じるが、反力が生じている時には、突起型溝形状部が溝形状部に係合することで上方への反力を受け止めることができ、スライダの浮き上がりを未然に防止することができる。
【００２３】
前記ホルダには、カシメホルダとカシメリングアッセイを介して前記ブーツが取り付けられ、前記カシメホルダを軸として前記ホルダは回転自在となすとともに、更に前記プリアッセは自体の軸筒部で前記ホルダに保持されて回転自在としたので、スライダレバー連結体をホルダからいったん取り外すことで、ホルダを軸方向の廻りに１８０°回転させ、その後にスライダレバー連結体を組み付けることで極性変更（ロールオーバー）が可能となる。
【００２４】
前記各プリアッセはそれぞれの軸筒部の端部において前記ホルダに対し回動可能に係止される円形フランジ部を有し、前記円形フランジ部の周面には係止突起を備え、前記各プリアッセが角度０°の正位置と角度１８０°の反転位置で前記係止突起が係止されるよう前記ホルダにストッパ面を対設したので、ホルダ部を１８０°回転させると同時に、各プリアッセを軸方向の廻りに回転させ、角度１８０°の回転位置でホルダのストッパ面に係止突起が係止されることでＡＰＣ研磨（Ａｎｇｌｅｄ  ＰＣ）によるフェルール対応の極性変更（ロールオーバー)が可能となる。
【図面の簡単な説明】
【００２５】
【図１】本発明を実施するための一形態を示すＬＣ用ユニブーツプラグコネクタのスライダレバー連結体であり、（ａ）は分解斜視図、（ｂ）は組み付け後の斜視図である。
【図２】スライダレバー連結体を外した状態の２芯型のＬＣ用ユニブーツプラグコネクタを示し、（ａ）は分解斜視図、（ｂ）は組み付け後の斜視図である。
【図３】スライダレバー連結体を取り付けた状態の２芯型のＬＣ用ユニブーツプラグコネクタを示し、（ａ）は斜視図、（ｂ）は（ａ）の矢視方向から視たＭ−Ｍ断面図である。
【図４】プリアッセの一例を示し、（ａ）は平面図、（ｂ）は正面図、（ｃ）は側面図、（ｄ）は背面図である。
【図５】同じくプリアッセの一例を示し、（ａ）は斜め前方から視た斜視図、（ｂ）は斜め後方から視た斜視図、（ｃ）は図４（ｃ）のＡ−Ａ断面図である。
【図６】ホルダの一例を示し、（ａ）は斜め上方から視た斜視図、（ｂ）は斜め下方から視た斜視図である。
【図７】同じくホルダの一例を示し、（ａ）は平面図、（ｂ）は正面図、（ｃ）は側面図、（ｄ）は背面図、（ｅ）は底面図である。
【図８】同じくホルダの一例を示し、（ａ）は図７（ｃ）のＢ−Ｂ断面図、（ｂ）は図７（ｃ）のＣ−Ｃ断面図である。
【図９】ラッチ一体レバーの一例を示すもので、（ａ）は斜め前方から視た斜視図、（ｂ）は斜め後方から視た斜視図である。
【図１０】同じくラッチ一体レバーの一例を示すもので、（ａ）は平面図、（ｂ）は正面図、（ｃ）は側面図、（ｄ）は背面図、（ｅ）は底面図である。
【図１１】スライダの一例を示すもので、（ａ）は斜め後方から視た斜視図、（ｂ）は斜め前方から視た斜視図、（ｃ）は斜め下方から視た斜視図である。
【図１２】同じくスライダの一例を示すもので、（ａ）は平面図、（ｂ）は正面図、（ｃ）は側面図、（ｄ）は背面図、（ｅ）は底面図である。
【図１３】同じくスライダの一例を示すもので、（ａ）は図１２（ａ）のＤ−Ｄ断面図、（ｂ）は図１２（ａ）のＥ−Ｅ断面図である。
【図１４】同じくスライダの一例を示すもので、（ａ）はスライダにタブを取り付けた状態の平面図、（ｂ）は（ａ）のＦ−Ｆ断面図である。
【図１５】スライダレバー連結体の全体構成を示すもので、（ａ）は平面図、（ｂ）は（ａ）のＨ−Ｈ断面図、（ｃ）は（ａ）のＧ−Ｇ断面図である。
【図１６】ＬＣ用ユニブーツプラグコネクタの全体構成を示し、（ａ）は拡大した正面図、（ｂ）は側面図である。
【図１７】同じくＬＣ用ユニブーツプラグコネクタの全体構成を示し、（ａ）は平面図、（ｂ）は（ａ）のＪ−Ｊ断面図、（ｃ）は（ａ）のＩ−Ｉ断面図、（ｄ）は（ａ）のＫ−Ｋ断面図である。
【図１８】同じくＬＣ用ユニブーツプラグコネクタの使用状態を示し、（ａ）はアダプタに挿入する前の状態を示す説明図、（ｂ）はアダプタに挿入した状態の説明図、（ｃ）はラッチの変形前の状態の概略を示す説明図、（ｄ）はラッチの変形後の状態の概略を示す説明図である。
【図１９】ロールオーバー操作の説明図であり、（ａ）はスライダレバー連結体を取り外した状態の斜視図、（ｂ）乃至（ｄ）は各プリアッセを漸次１８０°まで回転する途中状態の斜視図、（ｅ）は各プリアッセの回転完了の状態の斜視図である。
【図２０】同じくロールオーバー操作の説明図であり、（ａ）乃至（ｃ）はホルダを１８０°回転する途中状態の斜視図、（ｄ）はホルダの回転完了の状態の斜視図である。
【発明を実施するための形態】
【００２６】
以下、図面を参照して本発明に係るＬＣ用ユニブーツプラグコネクタの実施の一形態を詳細に説明する。
本発明に係るＬＣ用ユニブーツプラグコネクタは、図１、図２及び図３に示すように、何れも同一構造によるＬＣ型光コネクタの各プリアッセＡ、Ｂを保持し且つ当該各プリアッセＡ、Ｂから後方に延びた一対の光ファイバの芯線Ｐ（図４（ｄ）、図５（ｃ）参照）それぞれを収容するホルダ１と、該ホルダ１から後方に延びた一対の光ファイバケーブル（図示省略）それぞれを同時に保護するブーツ２と、前記ホルダ１に対し上方向から脱着自在となるよう取付けられるスライダレバー連結体２０とを備えている。
【００２７】
＜プリアッセの構成＞
前記プリアッセＡ、Ｂ（各プリアッセＡ、Ｂは何れも同一構造である）は、図４、図５に示すように、前記光ファイバの芯線Ｐが挿通される挿通孔を有するフェルールＦと、該各フェルールＦのフランジ部（図示省略）を介して後方に延設されたチューブ（図示省略）を内周に保持して収容するフェルールハウジング１０Ａ、１０Ｂと、該フェルールハウジング１０Ａ、１０Ｂに内蔵され前記フランジ部に一端が係止されるコイルスプリング（図示省略）と、該フェルールハウジング１０Ａ、１０Ｂの後部開放側を閉塞するエクステンダーキャップＥとから概ね構成されている。尚、このエクステンダーキャップＥはその中央孔を通って光ファイバケーブルが後方に引き出されるとともに、前記コイルスプリングの他端を係止する機能を有している。
【００２８】
また、前記不図示のフランジ部とエクステンダーキャップＥとの光軸方向間に前記コイルスプリングが圧縮状態で装着されていることで、このコイルスプリングの弾性力により、フェルールＦは先端側に付勢される。さらに、フェルールハウジング１０Ａ、１０Ｂ自体は、エクステンダーキャップＥの後部外周面に形成された円形括状の軸筒部３を介して、前記ホルダ１前側の上下凹部１３ａ、１３ｂ間（後述する図６、図７、図８参照）に回転自在に保持される。
【００２９】
前記軸筒部３の端部には円形フランジ部４が連設されており、前記ホルダ１の上下凹部１３ａ、１３ｂ間に回動可能に係止される。すなわち、前記円形フランジ部４の周面の一箇所には係止突起４Ａが形成され、前記ホルダ１の後述する上下凹部１３ａ、１３ｂに形成されたストッパ面Ｓ（図３（ｂ）、図８（ｂ）参照）に、各フェルールハウジング１０Ａ、１０Ｂが角度０°の正位置と角度１８０°の反転位置で前記係止突起４Ａが係止されるようにしてある。さらに、前記フェルールハウジング１０Ａ、１０Ｂ（各プリアッセＡ、Ｂ）の各上下２面には、平面視略矩形状で内底面が正面視略円弧状の凹面となった係合凹部Ｖが凹設されており、後述するスライドレバー連結体２０の各ラッチ４３の先端部が各係合されるようにしてある。
【００３０】
＜ホルダの構成＞
前記ホルダ１は、図６、図７、図８に示すように、下側半割体１Ａと上側半割体１Ｂとの上下二分割構造による略角筒半割形状をなしており、下側半割体１Ａの左右側壁に形成されている凹所内側の被係止部８ｂ（図２（ａ）、図６（ｂ）参照）に、上側半割体１Ｂの左右側壁に形成されている係止片８ａの下端から内方に向けた係止爪（図示省略）が係合されることで、各半割体１Ａ、１Ｂそれぞれが一体化されて全体略角筒形状の前記ホルダ１となる。而して、下側半割体１Ａの左右側壁の被係止部８ｂ後方にもガイド溝８ｃが縦設され該ガイド溝８ｃに上側半割体１Ｂの左右両壁に設けられた係止片２４が係合される。このとき、前記ガイド溝８ｃは前側の被係止部８ｂより深く形成され、前記係止片２４が係合されたときでも後述するラッチ一体レバー４０の後部両側に設けられた係止挟持片４１Ａが前記係止片２４の外側被係止溝２４ａに重合しつつ嵌合するものとなっている。
【００３１】
そして、前記各半割体１Ａ、１Ｂの前側には、上記フェルールハウジング１０Ａ、１０Ｂそれぞれの後部に形成されている前記軸筒部３、３を回転自在に各係合させるための凹部１３ａ、１３ａが各形成されるとともに、前記ホルダ１の後端部には筒状のカシメホルダ２１（図１７（ｃ）参照）先端の大径のフランジ部２１ａが各半割体１Ａ、１Ｂ間に回転自在となって挟持され、このカシメホルダ２１の後側の縮径部２１ｂには、先端にカシメリング２２ａを備えた熱収縮チューブ２２（カシメリングアッセイ）の当該カシメリング２２ａ側が外嵌合されて外周からカシメ固定される。
【００３２】
さらに、前記各半割体１Ａ、１Ｂ間には、フェルールハウジング１０Ａ、１０Ｂそれぞれの後部から延びた各芯線Ｐがそれぞれ収容され、前記カシメホルダ２１には各芯線Ｐを内挿した一対の光ファイバケーブル端が１つに纏めて挿通され、該カシメホルダ２１を通って後方に延びている。また、前記カシメリング２２ａには、前記熱収縮チューブ２２を覆うようにブーツ２の先端開口部側が外挿固定される。
【００３３】
前記ホルダ１の前端側上下面の中央２箇所と左右両端各１箇所の上下で各４箇所には正面視略コ字溝状の溝形状部２３が形成され、この溝形状部２３に対応して後述するスライダ３０の下面側の中央２箇所と左右両端各１箇所の合計４箇所には正面視略コ字溝状の突起型溝形状部３１が形成されおり、該スライダ３０が後述する基準位置から後方へスライドしたときに、前記突起型溝形状部３１と溝形状部２３とが互いに噛み合った状態となって係合することで、スライダ３０の浮き上がりを防止している。
【００３４】
＜スライダレバー連結体の構成＞
図１、図２、図３に示すように、前記スライダレバー連結体２０は、コネクタ引き抜き用のタブＴを後端に装着してなるスライダ３０と、該スライダ３０を上側から挟み込むようにして前記ホルダ１に装着固定されるラッチ一体レバー４０とから概ね構成されている。
【００３５】
＜ラッチ一体レバーの構成＞
図９、図１０、図１５、図１６、図１７に示すように、前記ラッチ一体レバー４０は、幅広な１枚の扁平状の保持ベース部４１と、該保持ベース部４１から前方に向けて二股状に延設された中間アーム部４２、４２と、該中間アーム部４２、４２を介して側面視略への字型を呈するよう各連設されて弾発性を付与してなるラッチ４３、４３とを備えている。
【００３６】
前記保持ベース部４１の左右両端には、縦長矩形板状の係止挟持片４１Ａ、４１Ａを備え、前記スライダ３０を上側から挟み込むようにして、前記ホルダ１の左右両側面に形成された被係止溝２４ａ、２４ａに各係止挟持片４１Ａ、４１Ａを嵌合させ、各係止挟持片４１Ａ、４１Ａの下端内側に突設した係止突起４１Ｂ、４１Ｂが、前記被係止溝２４、２４に形成された係止部２４Ａ、２４Ａに係合することで、保持ベース部４１（ラッチ一体レバー４０）をホルダ１の左右両側から挟持固定させる。
【００３７】
前記保持ベース部４１には、スライダ３０の中央幅狭部分３２が係合する溝形状部４８を有し、前記スライダ３０の左右方向の位置規制をしている。すなわち、前記スライダ３０の中央幅狭部分３２の幅寸は、ラッチ一体レバー４０に設けた溝形状部４８と係合するように設定されている。そして、前記スライダ３０をラッチ一体レバー４０に組んだ時、当該スライダ３０はこの溝形状部４８に沿って前後（軸方向）に移動するようになっている。
【００３８】
また、前記保持ベース部４１の幅方向両側には、後方角部において上面側の一部が平面視略Ｌ字状に切欠してなるスライド保持用溝部４７、４７が形成されており、前記スライダ３０の後部上面の左右両端から前方（軸方向）に向けて突設した矩形ブロック状の係止突起３３、３３が当該スライド保持用溝部４７、４７に係合している。これら係止突起３３、３３によってその下部側には押圧面部３３Ａ、３３Ａが形成され、前記タブＴが前方に押されてスライダ３０が前方に移動した際には、前記押圧面部３３Ａによって前記ホルダ１が前方に押される。
【００３９】
前記ラッチ４３、４３は、その各中間部両側（合計４箇所）に係止部４４、４４を突設してあり、既述のフェルールＦが割りスリーブＷに嵌合したことを契機に係止部４４はアダプタＱ（図１８参照）の係止溝Ｑ１に係合される。また、前記中間アーム部４２、４２の先端側（ラッチ４３と中間アーム部４２との連結部分）には、中間アーム部４２、４２の幅寸法よりも若干長い円柱によるピン形状部４６、４６が、中間アーム部４２、４２の長さ方向に対して横向きとなった状態で付設されている。
【００４０】
前記各ラッチ４３、４３の先端部には係合突部４５、４５が形成され、これらに対応して前記各フェルールハウジング１０Ａ、１０Ｂそれぞれの上下２面には、前記各ラッチ４３、４３の係合突部４５、４５を脱着自在に係合するための一対の係合凹部Ｖ、Ｖが形成されている。また、前記係合突部４５、４５の下面は正面視略円弧状の凹面に、前記係合凹部Ｖ、Ｖの内底面は凸面に互いに対応するように形成されており、これによって前記係合突部４５、４５と前記係合凹部Ｖ、Ｖとは密着状態を維持して横方向にズレ無く所定位置で係合連結されるものとなっている。
【００４１】
＜スライダの構成＞
前記スライダ３０は、図１１、図１２、図１３に示すように、その中間部に前記保持ベース部４１の下面の溝形状部４８が係合する中央幅狭部分３２が形成された略扁平ブロック状となって形成されている。また、前記スライダ３０の後部側は中央幅狭部分３２よりも幅広で、その上面にはＴ字形溝部３４が形成されており、既述のタブＴ先端のＴ字形突起Ｔａが組み付けられる。なお、前記スライダ３０のＴ字形溝部３４の位置する下面は、ブーツ２の外形に対応した正面視略円弧状の窪み部３９となっている。また、前記スライダ３０下面の中央幅狭部分３２よりも前寄側にはガイド用キー突起３７が突設され、前記ホルダ１の上下２面の各中央に形成されたガイド用キー溝３８（前記図６、図７参照）に係合している。
【００４２】
前記スライダ３０の前部側は当該スライダ３０の後部側と同じ横幅を有し、その上面には段差を介して左右一対のラッチ挿入開口部３５、３５が形成されており、これらラッチ挿入開口部３５、３５の開口前方縁とスライダ３０の前端との間の下面側は共に前方に向けて下降傾斜状となった左右一対のカム傾斜面部３６、３６を備えている（図１２、１３参照）。そして、前記ラッチ４３、４３はその先端側からラッチ挿入開口部３５、３５に挿入されて、各ラッチ４３、４３の先端部の係合突部４５、４５が前記各フェルールハウジング１０Ａ、１０Ｂの係合凹部Ｖ、Ｖに係合保持されるとともに、前記中間アーム部４２、４２前端のピン形状部４６、４６が前記カム傾斜面部３６、３６に各当接保持されている。
【００４３】
前記スライダレバー連結体２０は、前記スライダ３０の中央幅狭部分３２の前側端に保持ベース部４１の溝形状部４８が当接したときを基準位置としている。そして、この基準位置からタブＴを通じてスライダ３０を後方に引っ張るとスライダ３０に設けた前記カム傾斜面部３６、３６に前記ラッチ一体レバー４０の前記ピン形状部４６、４６が当たり、カム傾斜面部３６、３６に沿って当該ピン形状部４６、４６が下方に押されるように前記中間アーム部４２、４２が変形する。すなわち、前記カム傾斜面部３６、３６によって前記ピン形状部４６、４６が下方に押されて前記中間アーム部４２、４２先端を下方に突っ張り状に湾曲変形させ、アダプタＱに形成された係止溝Ｑ１に対するラッチ４３、４３の係止部４４、４４による引っ掛かりを解除させて引き抜き可能にする。
【００４４】
前記スライダ３０は、その下面側の中央２箇所と左右両端各１箇所の合計４箇所に正面視略コ字溝状の突起型溝形状部３１が形成されおり、該スライダ３０が基準位置から後方へスライドしたときに、前記突起型溝形状部３１と溝形状部２３とが互いに噛み合った状態となって係合することで、スライダ３０の浮き上がりを防止している。
【００４５】
次に、以上のように構成された形態についての使用・動作の一例について説明する。
【００４６】
＜ＰＵＳＨでアダプタに挿入する場合＞
図１８（ａ）に示すように、タブＴからスライダ３０を押し、該スライダ３０の係止突起３３の下部側にある押圧面部３３Ａでホルダ１が押される（図１８（ｂ）中、矢印Ｘ方向）。するとこれがプラグ全体を押す力になり、ラッチ４３がアダプタＱ側の係止溝Ｑ１に係止されるまで押し込まれ、フェルールＦが割りスリーブＷに嵌合したことを契機に係止部４４はアダプタＱ（図１８参照）の係止溝Ｑ１に係合することでプラグ挿入状態となる。
【００４７】
＜ＰＵＬＬでアダプタから外す場合＞
先ず、ラッチ一体レバー４０に対してスライダ３０が前側端に突き当たった位置、すなわち、前記スライダ３０の下面側に設けたガイド用キー突起３７が前記ホルダ１の上面側に設けたガイド用キー溝３８の前側端に当接したときを基準位置とする。図１８（ｃ）及び図１８（ｄ）に示すように、この基準位置からタブＴを通じてスライダ３０を後方に引っ張るとスライダ３０に設けた前記カム傾斜面部３６にラッチ一体レバー４０の前記ピン形状部４６が当たり、カム傾斜面部３６に沿ってピン形状部４６が下方に押されるように前記中間アーム部４２が変形する。すなわち、前記カム傾斜面部３６によって前記ピン形状部４６が下方に押されて前記中間アーム部４２先端を下方に突っ張り状に湾曲変形させ、アダプタＱに形成された係止溝Ｑ１に対するラッチ４３の係止部４４による引っ掛かりが解除されてアダプタＱからの引き抜きが可能となる。
【００４８】
＜ロールオーバーの説明＞
一対の光コネクタの極性変更（ロールオーバー)を行う場合、先ず、図１９（ａ）に示すように、前記スライダレバー連結体２０をホルダ１から外しておく。
【００４９】
初めに、図１９（ｂ）乃至（ｅ）に示すように、エクステンダーキャップＥの軸筒部３端部に形成されている円形フランジ部４の係止突起４Ａが上側凹部１３ｂに形成されたストッパ面Ｓに係止されている正位置の状態から、各プリアッセＡ、Ｂ（フェルールハウジング１０Ａ、１０Ｂ）だけをホルダ１に対して１８０°回転する（図中各矢印方向）。
【００５０】
すると、回転終了後（図１９（ｅ）の状態）には、エクステンダーキャップＥの軸筒部３端部に形成されている円形フランジ部４の係止突起４Ａが下側凹部１３ａに形成されたストッパ面Ｓに係止され、ホルダ１に対して各プリアッセＡ、Ｂは上下反転した状態となる。
【００５１】
次いで、図２０（ａ）乃至（ｄ）に示すように、カシメホルダ２１（図１７（ｃ）参照）先端のフランジ部２１ａを回転軸として、ホルダ１を軸方向の周りに１８０°回転させる（図中各矢印方向）。
【００５２】
すると、回転完了後（図２０（ｄ）の状態）には、プリアッセＡとプリアッセＢとが左右入れ替わり極性変更されるがフェルールＦの回転位置は最初と同じ位置のままとなる。これにより、ロールオーバーでＡＰＣ研磨（Ａｎｇｌｅｄ  ＰＣ）によるフェルールＦにも対応することができる。
【符号の説明】
【００５３】
Ｐ              芯線
Ｑ              アダプタ
Ｑ１            係止溝
Ｔ              タブ
Ｔａ            Ｔ字形突起
Ａ、Ｂ          プリアッセ
Ｓ              ストッパ面
Ｅ              エクステンダーキャップ
Ｆ              フェルール
Ｖ              係合凹部
Ｗ              割りスリーブ
１              ホルダ
１Ａ            下側半割体
１Ｂ            上側半割体
２              ブーツ
３              軸筒部
４              円形フランジ部
４Ａ            係止突起
８ａ            係止片
８ｂ            被係止部
８ｃ            ガイド溝
１０Ａ、１０Ｂ  フェルールハウジング
１３ａ          下側凹部
１３ｂ          上側凹部
２０            スライダレバー連結体
２１            カシメホルダ
２１ａ          フランジ部
２１ｂ          縮径部
２２            熱収縮チューブ
２２ａ          カシメリング
２３            溝形状部
２４            係止片
２４ａ          被係止溝
２４Ａ          係止部
３０            スライダ
３１            突起型溝形状部
３２            中央幅狭部分
３３            係止突起
３３Ａ          押圧面部
３４            Ｔ字形溝部
３５            ラッチ挿入開口部
３６            カム傾斜面部
３７            ガイド用キー突起
３８            ガイド用キー溝
３９            窪み部
４０            ラッチ一体レバー
４１            保持ベース部
４１Ａ          係止挟持片
４１Ｂ          係止突起
４２            中間アーム部
４３            ラッチ
４４            係止部
４５            係合突部
４６            ピン形状部
４７            スライド保持用溝部
４８            溝形状部
【図１】
2020046582.tif 000003
【図２】
2020046582.tif 000004
【図３】
2020046582.tif 000005
【図４】
2020046582.tif 000006
【図５】
2020046582.tif 000007
【図６】
2020046582.tif 000008
【図７】
2020046582.tif 000009
【図８】
2020046582.tif 000010
【図９】
2020046582.tif 000011
【図１０】
2020046582.tif 000012
【図１１】
2020046582.tif 000013
【図１２】
2020046582.tif 000014
【図１３】
2020046582.tif 000015
【図１４】
2020046582.tif 000016
【図１５】
2020046582.tif 000017
【図１６】
2020046582.tif 000018
【図１７】
2020046582.tif 000019
【図１８】
2020046582.tif 000020
【図１９】
2020046582.tif 000021
【図２０】
2020046582.tif 000022